(57)【要約】【課題】  通電中であってもフロントカバーを取り外すことなく、オプション基板を確認できるインバータ装置を提供する。  【解決手段】交流を直流に変換する整流電源部（５）と直流を交流に変換するインバータ（６）とインバータを駆動するゲートドライブ回路（７）からなる主回路部（１）と、モータを与えられた指令どおりに動作させるモータ制御部と操作パネルインタフェースと複数のオプション基板インタフェースからなるインタフェース部からなる制御部（２）と、を備えたインバータ装置において、制御部（２）は、オプション基板インタフェースにオプション基板が装着された場合はオプション基板の形式及びバージョン、コードナンバーを読み取り操作パネル（３）に表示させるようにした。【選択図】図１
2008178238.tif 000002
【特許請求の範囲】
【請求項１】
交流を直流に変換する整流電源部と前記直流を交流に変換するインバータと前記インバータを駆動するゲート駆動部からなる主回路部と、モータを与えられた指令どおりに動作させるモータ制御部と操作パネルインタフェースと複数のオプション基板インタフェースからなるインタフェース部からなる制御部と、を備えたインバータ装置において、
前記制御部は、前記オプション基板インタフェースにオプション基板が装着された場合は前記オプション基板の形式及びバージョン、コードナンバーを読み取り前記操作パネルに表示させることを特徴とするインバータ装置。
【請求項２】
前記操作パネル部は、プログラミング、パラメータ設定、表示などを行うことを特徴とする請求項１記載のインバータ装置。
【請求項３】
前記オプション基板は、不揮発性メモリに形式およびバージョン、コードナンバーを記憶することを特徴とする請求項１記載のインバータ装置。
【請求項４】
前記制御部は、前記オプション基板が装着されていない場合は、前記操作パネルに装着なしと表示することを特徴とする請求項１記載のインバータ装置。
【発明の詳細な説明】
【技術分野】
【０００１】
本発明は、オプション基板を搭載できるインバータ装置に関する。
【背景技術】
【０００２】
オプション基板を搭載できる従来のインバータ装置は特許文献１に開示されている。図２および図３は特許文献１に開示された従来のインバータ装置の構成図である。図２において、１０１は交流電源、１２０は主回路部、１０９は主回路、１１０は駆動回路部、１０６はモータである。また、１２１は制御基板、１１６は操作パネル、１１８は端子拡張用基板である。図３は制御基板と操作パネルの構成を示したもので、１２２はＣＰＵ、１４７は表示メモリ、１４８は表示機、１５２はキー入力切換コマンド用メモリ、１５３は外部キー入力コマンド用メモリ、１４６は内部キー入力コマンド用メモリ、１４５は操作キー、１２４は操作用インタフェースである。また、１１６は操作パネルであり、１４９はＣＰＵ、１５０と操作キー、１５１は表示器である。このように、入出力端子数を拡張するための端子拡張用基板との接続を行うための端子拡張用インタフェース部と、各種パラメータの設定及び表示を行う操作パネルを接続するための操作パネル用インタフェース部と、オプション基板を接続するためのオプション用インタフェース部と、外部機器との通信を行うための通信用インタフェース部とを備えたものである。
【特許文献１】特許第３４２２９１６号
【発明の開示】
【発明が解決しようとする課題】
【０００３】
しかしながら、従来のインバータ装置は、オプション基板の識別機能は、ついているが、どのオプション基板がインバータに接続されているかはオプション基板を見て形式を確かめないと判別できない。また、インバータが通電中にインバータのフロントカバーを取り外すことは危険なため、オプション基板を確認したい場合は、一旦電源を落とす必要がった。また、インバータが設置されている場所によっては、オプション基板が接続されているかを確認しようと思っても容易にフロントカバーを取り外しできないといった問題があった。
本発明は、このような問題点に鑑みてなされたものであり、オプション基板を実際に確かめなくても、操作パネルを見るだけで、オプション基板の形式、バージョン、コードナンバーが識別可能なインバータ装置を提供することを目的とする。
【課題を解決するための手段】
【０００４】
上記問題を解決するために、本発明は、次のように構成したのである。
請求項１に記載の発明は、交流を直流に変換する整流電源部と前記直流を交流に変換するインバータと前記インバータを駆動するゲート駆動部からなる主回路部と、モータを与えられた指令どおりに動作させるモータ制御部と操作パネルインタフェースと複数のオプション基板インタフェースからなるインタフェース部からなる制御部と、を備えたインバータ装置において、前記制御部は、前記オプション基板インタフェースにオプション基板が装着された場合は前記オプション基板の形式及びバージョン、コードナンバーを読み取り前記操作パネルに表示させることを特徴とするものである。
請求項２に記載の発明は、請求項１記載のインバータ装置において、前記操作パネル部は、プログラミング、パラメータ設定、表示などを行うことを特徴とするものである。
請求項３に記載の発明は、請求項１記載のインバータ装置において、前記オプション基板は、不揮発性メモリに形式およびバージョン、コードナンバーを記憶することを特徴とするものである。
請求項４に記載の発明は、請求項１記載のインバータ装置において、前記制御部は、前記オプション基板が装着されていない場合は、前記操作パネルに装着なしと表示することを特徴とするものである。
【発明の効果】
【０００５】
本発明によると、操作パネルを見るだけで、オプション基板の形式、バージョン、コードナンバーが特定可能なインバータ装置を提供できる。
【発明を実施するための最良の形態】
【０００６】
以下、本発明の実施の形態について図を参照して説明する。
【実施例１】
【０００７】
図１は本発明のインバータ装置のハードウエア構成を示したものである。図１において、１は主回路部、２は制御部、３は操作パネル部、４はオプション基板である。また、５は整流電源部、６はインバータ、７はゲートドライブ回路、８はマイクロコンピュータ、９はＡＳＩＣ、１０はオプションインタフェース部である。また、１１はマイクロコンピュータ、１２はキーボード、１３は表示器である。また、１４はマイクロコンピュータ、１５はインタフェース、１６ＥＥＰＲＯＭである。また、１７は交流電源、１８はモータである。
【０００８】
次に動作について説明する。インバータ装置の主回路部１は、電力変換を行い、制御部２はモータを指令どおり動作させるようインバータを制御する。操作パネル３はインバータ装置のプログラミング、パラメータ設定、ＪＯＧ運転、モニタなどを行う。オプション部は、速度指令オプションインタフェース、モニタインタフェース、通信インタフェースなど、カストマのシステムに合致するよう品揃えされる。主回路部１の整流電源部５は交流電源１７を整流して直流電源を生成する。インバータ６は直流電源から交流電源を生成し、モータ１８を駆動する。ゲートドライブ回路７は制御部２で生成したゲートドライブ信号を絶縁増幅し、インバータ６のパワー素子を駆動する。制御部２のマイクロコンピュータ８は、制御時間ごとに外部から与えられたアナログ信号をＡＤ変換して読込み、組み込まれたプログラムに従って電流指令または電圧指令を生成し、ＡＳＩＣ９に書き込む。ＡＳＩＣ９は書込まれた電流指令または電圧指令や電流信号などからＰＷＭされたゲートドライブ信号を生成する。また、ＡＳＩＣ９は操作指示に応じてモータに接続されたＰＧの信号を読取り位置信号を生成する。オプションインタフェース部１０には、オプション基板を装着することができる。オプション基板が装着されいる場合は、マイクロコンピュータ８がオプション基板の形式、バージョン、コードナンバーを読取る。操作パネル部３のマイクロコンピュータ１１の通信部は制御部９のマイクロコンピュータ８の通信部と接続されており、データの送受信を行う。
【０００９】
本発明は、オプション基板４の不揮発性メモリにオプション基板の形式、バージョン、コードナンバーをアップされるたびに書込んでおき、インバータ装置に装着された場合、必要に応じて読み出し、パネル操作部の表示部に表示させるようにしたことである。
【図面の簡単な説明】
【００１０】
【図１】本発明の構成を示すブロック図
【図２】従来例の構成を示すブロック図
【図３】従来例の構成を示すブロック図
【符号の説明】
【００１１】
１  主回路部
２  制御部
３  操作パネル部
４  オプション基板
５  整流電源部
６  インバータ
７  ゲートドライブ回路
８、１１、１４  マイクロコンピュータ
９  ＡＳＩＣ
１０  オプションインタフェース
１２  キーボード
１３  表示器
１５  インタフェース
１６  ＥＥＰＲＯＭ
【図１】
2008178238.tif 000003
【図２】
2008178238.tif 000004
【図３】
2008178238.tif 000005